(57)【要約】      （修正有）【課題】ベルトが位置ずれを起こしても、ベルト上の被搬送媒体が一定の吸引力を得ることができる被搬送媒体搬送装置を提供する。【解決手段】ドラム１３側の吸引孔１３ｂとベルト１６側の吸引孔１６ａとが互いに略重なったときに吸引力を発生するようになっている。吸引孔１３ｂ、１６ｂは、それぞれ角孔からなる。吸引孔１３ｂは、ドラム１３の周方向にピッチａで配列されて１つの列を形成し、この列がドラム１３の幅方向にピッチｂで複数列あり、かつ、隣接する列同士ではピッチａの１／２ずれている。吸引孔１６ａは、ベルト１６の幅方向にピッチａで配列されて１つの列を形成し、このような列がベルト１６の長さ方向にピッチｂで複数列あり、かつ、隣接する列同士ではピッチａの１／２ずれている。吸引孔１３ｂ、１６ａの開口幅は、ピッチａの１／２である。【選択図】図１
2011121680.tif 000002
【特許請求の範囲】
【請求項１】
表裏を貫通する複数のベルト側吸引孔を有する無端ベルトと、
減圧源に連通した複数の支持部側吸引孔を有して、駆動される前記無端ベルトの一部を支持して案内する支持部とを備え、
前記ベルト側吸引孔と前記支持部側吸引孔とが互いに略重なったときに吸引力を発生して、前記無端ベルトの表面に支持される被搬送媒体を吸引して当該被搬送媒体を所定方向へ搬送する被搬送媒体搬送装置であって、
前記ベルト側吸引孔は、前記無端ベルトの長さ方向および前記長さ方向と直交する方向のうちのいずれか一方である第１の方向に、第１のピッチで配列させて１つの列を形成し、前記列を前記第１の方向と直交する方向に第２のピッチで複数列設け、かつ、隣接する列同士では前記第１のピッチの１／２ずれており、
前記支持部側吸引孔は、前記第１の方向と直交する第３の方向に前記第１のピッチで配列させて１つの列を形成し、前記列を前記第３の方向と直交する方向に前記第２のピッチで複数列設け、かつ、隣接する列同士では前記第１のピッチの１／２ずれており、
さらに、前記ベルト側吸引孔と前記支持部側吸引孔のうちの少なくとも一方は、角孔であって、前記角孔の開口幅は前記第１のピッチの１／２であることを特徴とする被搬送媒体搬送装置。
【請求項２】
前記ベルト側吸引孔は丸孔であり、前記支持部側吸引孔は角孔であることを特徴とする請求項１に記載の被搬送媒体搬送装置。
【請求項３】
前記支持部は、前記無端ベルトを搬送させる回転可能なドラムを含むことを特徴とする請求項１または請求項２に記載の被搬送媒体搬送装置。
【請求項４】
液体を噴射する液体噴射ヘッドと、
表裏を貫通する複数のベルト側吸引孔を有して、前記液体噴射ヘッドに対向する位置において、搬送方向に走行する無端ベルトと、
減圧源に連通した複数の支持部側吸引孔を有して、駆動される前記無端ベルトの一部を支持して案内する支持部とを備え、
前記ベルト側吸引孔と前記支持部側吸引孔とが互いに略重なったときに吸引力を発生して、前記無端ベルトの表面に支持される被搬送媒体を吸引して当該被搬送媒体を所定方向へ搬送する画像形成装置であって、
前記ベルト側吸引孔は、前記無端ベルトの長さ方向および前記長さ方向と直交する方向のうちのいずれか一方である第１の方向に、第１のピッチで配列させて１つの列を形成し、前記列を前記第１の方向と直交する方向に第２のピッチで複数列設け、かつ、隣接する列同士では前記第１のピッチの１／２ずれており、
前記支持部側吸引孔は、前記第１の方向と直交する第３の方向に前記第１のピッチで配列させて１つの列を形成し、前記列を前記第３の方向と直交する方向に前記第２のピッチで複数列設け、かつ、隣接する列同士では前記第１のピッチの１／２ずれており、
さらに、前記ベルト側吸引孔と前記支持部側吸引孔のうちの少なくとも一方は、角孔であって、前記角孔の開口幅は前記第１のピッチの１／２であることを特徴とする画像形成装置。
【請求項５】
前記ベルト側吸引孔は丸孔であり、前記支持部側吸引孔は角孔であることを特徴とする請求項４に記載の画像形成装置。
【請求項６】
前記支持部は、前記無端ベルトを搬送させる回転可能なドラムを含むことを特徴とする請求項４または請求項５に記載の画像形成装置。
【発明の詳細な説明】
【技術分野】
【０００１】
本発明は、被搬送媒体搬送装置および画像形成装置に関する。さらに詳細には、シート状の被搬送媒体を吸引しつつ搬送する被搬送媒体搬送装置と、それを適用した画像形成装置とに関する。
【背景技術】
【０００２】
従来、この種の被搬送媒体搬送装置を適用した画像形成装置としては、例えば特許文献１に記載のものが知られている。
この画像形成装置に適用される被搬送媒体搬送装置は、回転可能なドラムと、このドラムに巻き掛けられる無端状のベルトとを少なくとも備えている。
ドラムの外周面の全域には、表裏を貫通する多数のドラム側吸引孔が点在するように形成されている。ベルトには、その表裏を貫通する多数のベルト側吸引孔が面全域にわたって点在するように形成されている。
【０００３】
ベルトがドラムに巻き掛けられた部分において、ドラムに対するベルトの巻き付け位置が多少ずれても、ドラム側吸引孔とベルト側吸引孔とは少なくとも一部が重なって連通し、ベルト上の被搬送媒体が吸引されるようになっている。
しかし、ドラムに対するベルトの巻き付け位置がずれることにより、ドラム側吸引孔とベルト側吸引孔とが重なる部分の開口面積（開口率）変化し、ベルト上の被搬送媒体が一定の吸引力（吸着力）を得ることができないという不具合がある。
【先行技術文献】
【特許文献】
【０００４】
【特許文献１】特開２００９−１３７１４１号公報
【発明の概要】
【発明が解決しようとする課題】
【０００５】
そこで、本発明の幾つかの態様の目的は、ベルトが位置ずれを起こしても、ベルト上の被搬送媒体が一定の吸引力を得ることができる被搬送媒体搬送装置、およびその被搬送媒体搬送装置を適用した画像形成装置を提供することにある。
【課題を解決するための手段】
【０００６】
上記の課題を解決し本発明の目的を達成するために、本発明は、以下のように構成される。
本発明の被搬送媒体搬送装置の態様の１つは、表裏を貫通する複数のベルト側吸引孔を有する無端ベルトと、減圧源に連通した複数の支持部側吸引孔を有して、駆動される前記無端ベルトの一部を支持して案内する支持部とを備え、前記ベルト側吸引孔と前記支持部側吸引孔とが互いに略重なったときに吸引力を発生して、前記無端ベルトの表面に支持される被搬送媒体を吸引して当該被搬送媒体を所定方向へ搬送する被搬送媒体搬送装置であって、前記ベルト側吸引孔は、前記無端ベルトの長さ方向および前記長さ方向と直交する方向のうちのいずれか一方である第１の方向に、第１のピッチで配列させて１つの列を形成し、前記列を前記第１の方向と直交する方向に第２のピッチで複数列設け、かつ、隣接する列同士では前記第１のピッチの１／２ずれており、前記支持部側吸引孔は、前記第１の方向と直交する第３の方向に前記第１のピッチで配列させて１つの列を形成し、前記列を前記第３の方向と直交する方向に前記第２のピッチで複数列設け、かつ、隣接する列同士では前記第１のピッチの１／２ずれており、さらに、前記ベルト側吸引孔と前記支持部側吸引孔のうちの少なくとも一方は、角孔であって、前記角孔の開口幅は前記第１のピッチの１／２である。
このような構成によれば、無端ベルトが支持部上で位置ずれを起こしても、ドラム側吸引孔とベルト側吸引孔とが互いに重なる部分の開口面積の総和は常に一定となるので、無端ベルト上の被搬送媒体は一定の吸引力を得ることができる。
【０００７】
また、上記の被搬送媒体搬送装置において、前記ベルト側吸引孔は丸孔であり、前記支持部側吸引孔は角孔である。
このような構成によれば、ベルト側吸引孔と支持部側吸引孔のそれぞれの形状は、無端ベルトと支持部のそれぞれの構成材料の特性に応じたものとなる。
また、上記の被搬送媒体搬送装置において、前記支持部は、前記無端ベルトを搬送させる回転可能なドラムを含む。
このような構成によれば、支持部として回転可能なドラムを含む場合にも、上記と同様の作用効果が得られる。
【０００８】
さらに、本発明の画像形成装置の態様の１つは、液体を噴射する液体噴射ヘッドと、表裏を貫通する複数のベルト側吸引孔を有して、前記液体噴射ヘッドに対向する位置において、搬送方向に走行する無端ベルトと、減圧源に連通した複数の支持部側吸引孔を有して、駆動される前記無端ベルトの一部を支持して案内する支持部とを備え、前記ベルト側吸引孔と前記支持部側吸引孔とが互いに略重なったときに吸引力を発生して、前記無端ベルトの表面に支持される被搬送媒体を吸引して当該被搬送媒体を所定方向へ搬送する画像形成装置であって、前記ベルト側吸引孔は、前記無端ベルトの長さ方向および前記長さ方向と直交する方向のうちのいずれか一方である第１の方向に、第１のピッチで配列させて１つの列を形成し、前記列を前記第１の方向と直交する方向に第２のピッチで複数列設け、かつ、隣接する列同士では前記第１のピッチの１／２ずれており、前記支持部側吸引孔は、前記第１の方向と直交する第３の方向に前記第１のピッチで配列させて１つの列を形成し、前記列を前記第３の方向と直交する方向に前記第２のピッチで複数列設け、かつ、隣接する列同士では前記第１のピッチの１／２ずれており、さらに、前記ベルト側吸引孔と前記支持部側吸引孔のうちの少なくとも一方は、角孔であって、前記角孔の開口幅は前記第１のピッチの１／２である。
このような構成によれば、無端ベルトが支持部上で位置ずれを起こしても、ドラム側吸引孔とベルト側吸引孔とが互いに重なる部分の開口面積の総和は常に一定となる。このため、画像形成の際に、無端ベルト上の被搬送媒体は一定の吸引力を得ることができる。
【０００９】
また、上記の画像形成装置において、前記ベルト側吸引孔は丸孔であり、前記支持部側吸引孔は角孔である。
このような構成によれば、ベルト側吸引孔と支持部側吸引孔のそれぞれの形状は、無端ベルトと支持部のそれぞれの構成材料の特性に応じたものとなる。
また、上記の画像形成装置において、前記支持部は、前記無端ベルトを搬送させる回転可能なドラムを含む。
このような構成によれば、支持部として回転可能なドラムを含む場合にも、上記と同様の作用効果が得られる。
【図面の簡単な説明】
【００１０】
【図１】本発明の画像形成装置の実施形態の構成を示す側断面図である。
【図２】ドラムの外周面を示す図である。
【図３】ベルトの表面を示す図である。
【図４】ベルトがドラム上で位置ずれのない状態を示す図である。
【図５】ベルトがドラム上においてベルトの長さ方向に位置ずれを起こした状態を示す図である。
【図６】ベルトがドラム上においてベルトの幅方向に位置ずれを起こした状態を示す図である。
【発明を実施するための形態】
【００１１】
以下、本発明の実施形態について、図面を参照して説明する。
なお、以下に説明する各図において、同一の構成を有する部分には同一の符号を付し、その重複する説明は省略する。
（画像形成装置の構成）
図１は、本発明の実施形態に係る両面画像形成装置１００の構成例を示す側断面図である。
【００１２】
図１に示すように、この両面画像形成装置１００は、例えば、インクジェット方式で且つライン記録方式のプリンターである表面画像形成装置１と、インクジェット方式で且つライン記録方式のプリンターである裏面画像形成装置２とを、記録用紙Ｐの搬送方向に沿って備えた装置である。
図１に示すように、表面画像形成装置１は、被搬送媒体である記録用紙Ｐを搬送するための搬送手段（被搬送媒体搬送装置）として、例えば、駆動ドラム（以下、単にドラムという。）１３と、従動ローラ（以下、単にローラという。）１４、１５と、ドラム１３とローラ１４、１５とに巻き掛けられた環状の無端ベルト（以下、単にベルトという。）１６と、隔壁部６３と、を有する。
【００１３】
ドラム１３及びローラ１４、１５の各回転軸１３ａ、１４ａ、１５ａは、ドラム１３及びローラ１４、１５の各断面中心を通ると共に、図示しない軸受により回転可能に支持されている。
ここで、ドラム１３およびローラ１４、１５は、ベルト１６の一部を支持してベルト１６を搬送方向に案内する支持部として機能している。
この表面画像形成装置１では、これら３つの回転軸１３ａ、１４ａ、１５ａが同じ方向（例えば、時計回り）に回転することにより、ドラム１３とローラ１４、１５とに巻き掛けられたベルト１６が一方向に搬送されるようになっている。
【００１４】
例えば、ドラム１３には、駆動源である電動モータ等の出力軸が直接又は減速機構を介して回転軸１３ａに連結されており、電動モータ等の出力が回転軸１３ａに伝達されるようになっている。駆動源である電動モータ等が正転駆動されると、ドラム１３が回転軸１３ａを中心に回転駆動する。ドラム１３の外周面には、後述のように複数の吸引孔１３ｂが設けられている。
ベルト１６は例えばゴム製であり、その表面には後述のように吸引孔１６ａが複数設けられている。ベルト１６表面での記録用紙Ｐの保持は、ドラム１３に設けられた吸引孔１３ｂを介してベルト１６の吸引孔１６ａを負圧にして吸引（吸着）すること、すなわち負圧吸着方式により行われる。このような負圧は、例えば、吸引孔１６ａ及び吸引孔１３ｂを通じて減圧源（図示せず）からドラム１３内へ空気吸引することにより発生させる。
【００１５】
隔壁部６３は、ベルト１６の内側であって、且つドラム１３の外側となる空間４７に設けられている。この隔壁部６３は、空間４７のうち負圧が及ぶ領域を区画するために設けられたものである。この隔壁部６３により、隔壁部６３とベルト１６の裏面とドラム１３の外周面とで囲まれた領域は略密閉状態に封止され、負圧が保持される。
その結果、ベルト１６表面では、ドラム１３に巻き掛けられている部分だけでなく、ドラム１３に巻き掛けられていない部分（即ち、ドラム１３に巻き掛けられる前後の部分）でも、負圧による吸着力が及ぶようになっている。
【００１６】
この表面画像形成装置１は、ベルト１６上に記録用紙Ｐを供給するための給紙手段として、例えば、ゲートローラ１７を有する。
ゲートローラ１７は、記録用紙Ｐをローラ面に突き当てることで記録用紙Ｐのスキューを補正し、また駆動開始タイミングを図ることで、記録用紙Ｐをベルト１６上の目標位置に載せるようにタイミングを合わせて記録用紙Ｐを送り出すようになっている。
【００１７】
また、この表面画像形成装置１は、記録用紙Ｐに対する記録手段として、ドラム１３の外周面と対向する位置にライン記録方式のヘッド（即ち、ラインヘッド）１９を備えている。
液体噴射ヘッドとしてのラインヘッド１９は、例えば、４個のラインヘッド１９Ｙ、１９Ｍ、１９Ｃ、１９Ｋで構成されている。ここで、ラインヘッド１９Ｙ、１９Ｍ、１９Ｃ、１９Ｋは、イエロー（Ｙ）、マゼンタ（Ｍ）、シアン（Ｃ）、ブラック（Ｋ）の４色のインク滴をそれぞれ吐出するものであって、吐出すべきインクは各色のインクタンク（不図示）からインク供給チューブを通じて供給される。これらラインヘッド１９Ｙ、１９Ｍ、１９Ｃ、１９Ｋは、それぞれドラム１３の外周面に沿って、周方向に所定の間隔で配置されている。
【００１８】
ラインヘッド１９Ｙ、１９Ｍ、１９Ｃ、１９Ｋはそれぞれ、記録用紙Ｐの搬送方向と平面視で直交する方向（即ち、幅方向）に、最大紙幅分の記録が可能な長さに渡って複数のノズルを有し、それらのノズルから必要箇所に必要量のインク滴を吐出することにより、記録用紙Ｐ上に微小なインクドットを形成するようになっている。このようなインクドットの形成を各色毎に行うことにより、ベルト１６に保持された記録用紙Ｐの表面側に印刷を行うことが可能となっている
【００１９】
また、この表面画像形成装置１は、記録用紙Ｐに吐出されたインクを乾燥させる乾燥手段として、例えばハロゲンランプや温風送風器などの乾燥装置６１を有する。図１に示すように、乾燥装置６１は、記録用紙Ｐの搬送方向のラインヘッド１９よりも下流側であって、ベルト１６の表面と対向する位置に設けられている。
この裏面画像形成装置２は、図１に示すように、上記の表面画像形成装置１と基本構造が同じに構成されている。
すなわち、裏面画像形成装置２は、記録用紙Ｐを搬送するための搬送手段として、例えば、ドラム１１３と、ローラ１１４、１１５と、ドラム１１３とローラ１１４、１１５とに巻き掛けられたベルト１１６と、隔壁部１６３と、を有する。
【００２０】
また、裏面画像形成装置２は、記録用紙Ｐに対する記録手段としてドラム１１３の外周面と対向する位置に例えばラインヘッド１１９Ｙ、１１９Ｍ、１１９Ｃ、１１９Ｋを有し、記録用紙Ｐに吐出されたインクを乾燥させる乾燥手段として例えばハロゲンランプや温風送風器などの乾燥装置１６１を有する。
裏面画像形成装置２における、これら搬送手段、記録手段、乾燥手段、検出手段の各構成とその機能は、例えば、表面画像形成装置１における各手段のそれと同じである。
【００２１】
また、この両面画像形成装置１００は、表面画像形成装置１から裏面画像形成装置２へ記録用紙Ｐを表裏逆にして受け渡す、受渡部４を有する。
この受渡部４は、表面画像形成装置１と裏面画像形成装置２の各ベルト１６、１１６の表面を搬送方向に沿って所定領域、面接触する配置とすることで構成されている。受渡部４は、表面画像形成装置１の記録用紙Ｐの分離部６を成すローラ１４と裏面画像形成装置２の記録用紙Ｐの受入部８を成すローラ１１５との間の領域に設けられている。そして、分離部６を成すローラ１４に巻き掛けられたベルト１６の成す角度θ１は鋭角に構成され、受入部８を成すローラ１１５に巻き掛けられたベルト１１６の成す角度θ２は鈍角に構成されている。
【００２２】
このような構成により、ラインヘッド１９によってその表面に対する印刷処理が行われた記録用紙Ｐは、搬送方向からみて下流側にあるローラ１４の位置までベルト１６上に載って搬送され、ローラ１４の径に応じて曲率の大きく変化したベルト１６の曲面にて記録用紙Ｐは曲率分離されると共に、裏面画像形成装置２に受け渡される。
裏面画像形成装置２に受け渡された記録用紙Ｐは、ベルト１１６上に載って搬送される。そして、ラインヘッド１１９によってその裏面に対する印刷処理が行われた記録用紙Ｐは、搬送方向からみて下流側にあるローラ１１４の位置まで搬送され、ローラ１１４の径に応じて曲率の大きく変化したベルト１６の曲面にて記録用紙Ｐは曲率分離されて、外部へ排出される。
【００２３】
また、この両面画像形成装置１００では、表面画像形成装置１のベルト１６搬送速度Ｖ１より裏面画像形成装置２のベルト１６搬送速度Ｖ２が僅かに大となる関係に設定されている。また、搬送方向からみて受渡部４の直後には、紙先端検出器６５が設けられている。この紙先端検出器６５によって、表面に印刷処理が行われた記録用紙Ｐの先端位置を検出して、裏面画像形成装置２の記録領域に送ることができ、記録位置を高精度にして裏面への印刷を実行することが可能となっている。
【００２４】
（ドラムとベルトの具体的な構成）
次に、ドラム１３とベルト１６に設ける各吸引孔１３ｂ、１６ａの配列、形状などについて、図２および図３を参照して説明する。
ドラム１３の外周面の全域には、ベルト１６上の記録用紙Ｐをベルト１６の吸引孔１３ｂを介して吸着するための吸引孔１３ｂが、図２に示すように配列されている。
吸引孔１３ｂは、図２に示すように、ドラム１３の周方向に同じピッチａで繰り返して配列されて１つの列を形成し、このような列がドラム１３の幅方向に同じピッチｂでＭ列（この例では４列）設けられている。そして、吸引孔１３ｂは、隣接する列同士では、ドラム１３の周方向にピッチａの１／２（半ピッチ）ずれている。ここで、ピッチａ、ｂは同じでも良く、異なっても良い。
【００２５】
吸引孔１３ｂは、ドラム１３の外周面を貫通する貫通孔である。また、吸引孔１３ｂは、図２に示すように角孔であり、この角孔はその両側の開口部が四角形（この例では正方形）である。さらに、その吸引孔１３ｂの開口幅ｃは、ピッチａの１／２（ａ／２）である。
ベルト１６の全域には、ベルト１６上の記録紙Ｐを吸着するための吸引孔１６ａが、図３に示すように配列されている。
【００２６】
吸引孔１６ａは、図３に示すように、ベルト１６の幅方向に同じピッチａで繰り返して配列されて１つの列を形成し、このような列がベルト１６の長さ方向（記録用紙Ｐの搬送方向）に同じピッチｂでＮ列（この例では４列）設けられている。そして、吸引孔１６ｂは、隣接する列同士では、ベルト１６の幅方向に半ピッチ（ａ／２）ずれている。
吸引孔１６ａは、ベルト１６の表裏を貫通する貫通孔である。また、吸引孔１６ａは、図３に示すように角孔であり、この角孔はその両側の開口部が四角形（この例では正方形）である。さらに、その吸引孔１６ａの開口幅ｃは、ピッチａの１／２（ａ／２）である。
【００２７】
（ドラムとベルトの作用効果）
次に、このような構成からなるドラム１３とベルト１６の作用、効果について、図４〜図６を参照して説明する。
図４は、ベルト１６とドラム１３とが所定の基準位置にあり、ベルト１６がドラム１３上においてずれがない場合である。
この場合には、ベルト１６の所定の吸引孔１６ａとドラム１３の所定の吸引孔１３ｂとがずれることなく重なって連通状態（貫通状態）になる。この例では、斜線で示す４箇所が連通状態となり、このときの連通部の開口面積の全体は、図４の斜線部の総和となる。
【００２８】
図５は、図４の状態からベルト１６がドラム１３上においてベルト１６の長さ方向（搬送方向）にずれた場合である。
この場合には、図４で重なっていた４箇所の吸引孔１６ａは、対応する吸引孔１３ｂとの間で部分的な重なりになる。このため、その重なった部分だけが連通状態になり（例えば図５の斜線部Ａ）、連通状態の部分の面積が減少する。
【００２９】
このとき、その４箇所の各吸引孔１６ａに隣接する真上の４つの吸引孔１６ａに着目すると、真上の４つの各吸引１６ａは対応する吸引孔１３ｂとの間で部分的に重なり、その重なった部分が連通状態になる（例えば図５の斜線部Ｂ）。その連通状態の部分の面積は、上記の減少した連通部分の面積に等しいので、その減少分を補うことになる。
このため、ドラム１３上において、ベルト１６が長さ方向にずれても、それらの連通部の開口面積の全体は、図５の斜線部の総和となり、図４の斜線部の総和と同じであり開口率は変化しない。
【００３０】
図６は、図４の状態からベルト１６がドラム１３上においてベルト１６の幅方向にずれた場合である。
この場合には、図４で重なっていた４箇所の吸引孔１６ａは、対応する吸引孔１３ｂとの間で部分的な重なりになる。このため、その重なった部分だけが連通状態になり（例えば図６の斜線部Ｃ）、連通状態の部分の面積が減少する。
【００３１】
このとき、その４箇所の各吸引孔１６ａに隣接する右側の４つの吸引孔１６ａに着目すると、右側の４つの各吸引孔１６ａは対応する吸引孔１３ｂとの間で部分的に重なり、その重なった部分が連通状態になる（例えば図６の斜線部Ｄ）。その連通状態の部分の面積は、上記の減少した連通部分の面積に等しいので、その減少分を補うことになる。
このため、ドラム１３上において、ベルト１６が幅方向にずれても、それらの連通部の開口面積の全体は、図６の斜線部の総和となり、図４の斜線部の総和と同じであり、開口率は変化しない。
【００３２】
上記の説明では、ベルト１６がドラム１３上において、ベルト１６の幅方向および長さ方向に位置ずれを起こした場合について説明した。しかし、ベルト１６がドラム１３上において斜め方向にずれる場合でも、上記の作用を実現できる。
なお、ベルト１６の吸引孔１６ａとドラム１３の吸引孔１３ｂのそれぞれの配列方向は、図２、図３に示すようにベルト１６の幅方向と長さ方向に配列しなくても良い。すなわち、吸引孔１６ａと吸引孔１３ｂの配列方向は、互いに直交する方向の組み合わせであれば、任意の方向に配列しても良い。例えば、ベルト１６の進行方向に対して、進行方向の右３０度方向と左６０度方向などである。
【００３３】
以上の説明からわかるように、本発明の実施形態に係る記録用紙Ｐの搬送手段では、ベルト１６がドラム１３上において位置ずれを起こした場合には、ベルト１６の吸引孔１６ａとドラム１３の吸引孔１３ｂとの重なり具合は変化するが、その重なった部分（連通部分）の開口面積の総和は位置ずれのない場合と同じになる。言い換えると、ベルト１６とドラム１３との位置ずれの有無にかかわらず、吸引に有効な孔の開口率は同じになる。
したがって、本発明の実施形態に係る記録用紙Ｐの搬送手段では、ベルト１６とドラム１３との位置ずれの有無にかかわらず、ベルト１６上の記録用紙Ｐは一定の吸引力（吸着力）が得られる。
【００３４】
（ドラムとベルトの構成の変形例）
次に、ドラム１３とベルト１６の構成の変形例について説明する。
図２の例では、ドラム１３の吸引孔１３ｂのピッチａの配列方向は、ドラム１３の周方向としているが、これに代えてドラム１３の周方向と直交する幅方向でも良い。この場合には、ベルト１６の吸引孔１６ａのピッチａの配列方向は、図３の例とは異なり、ベルト１６の長さ方向（搬送方向）になる。
【００３５】
また、図３の例では、ベルト１６の吸引孔１６ａのピッチａの配列方向は、ベルト１６の幅方向としているが、これに代えてベルト１６の幅方向と直交する長さ方向でも良い。この場合には、ドラム１３の吸引孔１３ｂのピッチａの配列方向は、図２の例とは異なり、ドラム１３の幅方向になる。
このように、ドラム１３の吸引孔１３ｂのピッチａの配列方向と、ベルト１６の吸引孔１６ａのピッチａの配列方向とは、直交する方向であれば良い。
【００３６】
また、図２および図３の例では、ドラム１３の吸引孔１３ｂとベルト１６の吸引孔１６ａは、それぞれ角孔であり、その開口幅ｃはピッチａの１／２とした。
しかし、本発明では、吸引孔１３ｂと吸引孔１６ａは、そのうちの少なくとも一方が角孔であって、その角孔の開口幅ｃはピッチａの１／２であれば良い。
従って、例えば、ドラム３側の吸引孔１３ｂを角孔にした場合には、ベルト１６側の吸引孔１６ａは丸孔にしても良い。そして、この丸孔の開口幅（直径）は、角孔の開口幅ｃよりも短くても長くても良い。このような構成であっても、上記の作用効果は実現することができる。
【００３７】
このように、吸引孔として角孔と丸孔を使用する場合であって、ドラム１３の構成材料として例えば金属を使用し、ベルト１６の構成材料として例えばゴムが使用する場合がある。この場合には、その構成材料の特性や加工性などの観点から、金属を使用するドラム１３の吸引孔１３ｂは角孔とし、ゴムを使用するベルト１６の吸引孔１６ａは丸孔とするのが好ましい。
【００３８】
（その他の実施形態など）
（１）図１の画像形成装置では、記録用紙Ｐの搬送手段として、上記のように、回転駆動されるドラム１３と、このドラム１３に巻き掛けられる無端状のベルト１６とを少なくとも備えた方式のものを使用している。
しかし、記録用紙Ｐの搬送手段として、駆動ローラと従動ローラとに掛け渡された無端状のベルトと、減圧源に連通しそのベルトの一部を支持して案内するプラテン（支持部）とを備えた方式に置き換えても良い。
【００３９】
この場合には、無端状のベルトには、図１のベルト１６の吸引孔１６ａと同様の吸引孔が図３に示すように配列される。また、プラテンには、図１のドラム１３の吸引孔１３ｂと同様の吸引孔が図２に示すように配列される。プラテンと対向する位置に、図１示す液体噴射ヘッドであるラインヘッド１９は配置される。
そして、この搬送手段は、ベルト側吸引孔とプラテン側吸引孔とが互いに略重なったときに減圧源によって吸引力を発生して、無端状のベルトの表面に支持される記録用紙を吸引してその記録用紙を所定方向へ搬送するようになっている。
【符号の説明】
【００４０】
１・・・表面画像形成装置、２・・・裏面画像形成装置、６・・・分離部、８・・・受入部、１３、１１３・・・ドラム、１３ａ・・・回転軸、１３ｂ・・・吸引孔、１４、１５・・・ローラ、１４ａ、１５ａ・・・回転軸、１６、１１６・・・ベルト、１６ａ・・・吸引孔、１７・・・ゲートローラ、１９、１９Ｙ、１９Ｍ、１９Ｃ、１９Ｋ、１１９、１１９Ｙ、１１９Ｍ、１１９Ｃ、１１９Ｋ・・・ラインヘッド、４７、１４７・・・空間、６１、１６１・・・乾燥装置、６３、１６３・・・隔壁部、６５・・・紙先端検出器、１００・・・両面画像形成装置
【図１】
2011121680.tif 000003
【図２】
2011121680.tif 000004
【図３】
2011121680.tif 000005
【図４】
2011121680.tif 000006
【図５】
2011121680.tif 000007
【図６】
2011121680.tif 000008